(57)【要約】【課題】水平または垂直などトレイの配置方向を任意に設定するとともに、トレイに載置する外部情報記録媒体がディスク単体またはディスクを収納したカートリッジのどちらであってもよい小型の光ディスク装置を提供する。【解決手段】この光ディスク装置１には、ディスク２またはカートリッジ３を載置するトレイ４と、このトレイ４の下方に配されるシャーシ５と、トレイ４の上方に配される天板６とが設けられている。トレイ４には、載置するディスク２またはカートリッジ３それぞれの形状に対応したディスク単体載置空間４３またはカートリッジ載置空間４４を形成するとともに、それぞれの載置空間４３、４４でディスク２またはカートリッジ３を保持する２種類の保持機構が設けられている。【選択図】図１
2005018853.tif 000002
【特許請求の範囲】
【請求項１】
ディスク単体またはディスクを収納したカートリッジをトレイの載置面に載置した後に前記トレイを本体内にローディングして、ディスク単体またはカートリッジから情報を記録再生する光ディスク装置において、
前記トレイに、載置するディスク単体またはカートリッジそれぞれの形状に対応したディスク単体載置空間またはカートリッジ載置空間を形成するとともに、それぞれの前記載置空間でディスク単体またはカートリッジを保持する保持機構が設けられ、
前記保持機構は、予め設定した支点を軸にして載置するディスク単体またはカートリッジの面方向に回動自在とされることを特徴とする光ディスク装置。
【請求項２】
請求項１に記載の光ディスク装置において、
前記保持機構には、ディスク単体を前記ディスク単体載置空間の載置面に載置するために、前記トレイ上にディスク単体を載置した時のディスク単体の中心位置をほぼ中心としたディスク半径より大きい半径を有する第１のディスク径方向規制部と、載置するディスク単体のディスク厚み方向への動作を規制する第１のディスク厚み方向規制部と、ディスク単体を載置面に誘導するディスク下ガイド部と、が設けられ、かつ、
カートリッジを前記カートリッジ載置空間の載置面に載置するために、カートリッジの前記トレイへの装填方向前端の形状の少なくとも一部と同一形状からなるカートリッジ規制部と、載置したカートリッジのカートリッジ厚み方向への動作を規制し、カートリッジの前記トレイへの装填方向前端の形状の少なくとも一部と同一形状からなる第１のカートリッジ厚み方向規制部とが設けられたことを特徴とする光ディスク装置。
【請求項３】
請求項２に記載の光ディスク装置において、
前記保持機構は、弾性部材によって前記ディスク単体載置空間が形成されるよう付勢されてなることを特徴とする光ディスク装置。
【請求項４】
請求項３に記載の光ディスク装置において、
前記保持機構は、複数設けられたことを特徴とする光ディスク装置。
【請求項５】
請求項４に記載の光ディスク装置において、
複数の前記保持機構は、連動して回動されることを特徴とする光ディスク装置。
【請求項６】
請求項１に記載の光ディスク装置において、
前記保持機構には、ディスク単体を前記ディスク単体載置空間の載置面に載置するために、前記トレイ上にディスク単体を載置した時のディスク単体の中心位置をほぼ中心としたディスク半径より大きい半径を有する第２のディスク径方向規制部と、載置するディスク単体のディスク厚み方向への動作を規制する第２のディスク厚み方向規制部と、が設けられ、かつ、
カートリッジを前記カートリッジ載置空間の載置面に載置するために、載置したカートリッジのカートリッジ厚み方向への動作を規制するとともに、カートリッジの装填方向後端の形状の少なくとも一部と同一形状からなる第２のカートリッジ厚み方向規制部が設けられたことを特徴とする光ディスク装置。
【請求項７】
請求項６に記載の光ディスク装置において、
前記保持機構は、複数設けられたことを特徴とする光ディスク装置。
【発明の詳細な説明】
【０００１】
【発明の属する技術分野】
本発明は、ディスク単体またはディスクを収納したカートリッジをトレイの載置面に載置して光ディスク装置本体内にローディングする光ディスク装置に関する。特に、トレイの載置面を水平または垂直方向のどちらの方向に沿って配しても使用可能な光ディスク装置に関する。
【０００２】
【従来の技術】
現在、コンピュータやＡＶ機器等の情報記録媒体として、ＣＤ・ＤＶＤ等の光ディスク単体や、ディスクの表面を保護する等の目的としたＤＶＤ−ＲＡＭ等の光ディスクを収納したカートリッジが用いられている。
【０００３】
そのため、このようなディスク単体またはカートリッジをトレイに載置し、本体内にローディングする光ディスク装置が開発されている。
【０００４】
さらに、現在、コンピュータやＡＶ機器等の省スペース化が進んでおり、また、ユーザの使用用途が多様化されている。そのため、コンピュータやＡＶ機器等の設置を縦置き、横置きのどちらともできるようコンピュータやＡＶ機器等を開発する必要があり、光ディスク装置に関しても、水平または垂直の両方の姿勢で使用可能なものが開発されている。
【０００５】
この従来の光ディスク装置に、例えば、トレイに、ディスク単体またはカートリッジを載置する載置面上に出没自在なディスク保持部が設けられ、載置面が垂直になるよう配されたトレイにディスク単体を載置する場合、ディスク保持部が突出され、ディスク単体またはカートリッジの外周部分がディスク保持部により保持され、かつ、載置面が垂直になるよう配されたトレイにカートリッジを載置面に載置する場合、または、載置面が水平になるよう配されたトレイにディスク単体またはカートリッジを載置する場合、ディスク保持部が没入されるものがある（例えば、特許文献１参照。）。
【０００６】
また、上記したディスク保持部に加え、トレイの移送方向に移動自在となる他のディスク保持部が設けられ、上記した出没自在なディスク保持部と共に用いる光ディスク装置もある（例えば、特許文献２参照。）。
【０００７】
さらに、カートリッジには対応していないが、トレイにディスク保持部材が設けられ、載置面が垂直になるよう配されたトレイにディスク単体を載置する場合、ディスクの外周部分を保持するよう垂直姿勢でのディスク単体載置空間と、載置面が水平になるよう配されたトレイにディスク単体を載置する場合、ディスクの外周部分を保持するよう水平姿勢でのディスク単体載置空間とが形成可能な光ディスク装置がある（例えば、特許文献３参照。）。
【０００８】
【特許文献１】
特許３０１２１７２号公報（１９９７年１月１０日公開）
【特許文献２】
特許２８８２３２１号公報（１９９７年４月４日公開）
【特許文献３】
特許３３２１８５１号公報（１９９４年４月２２日公開）
【０００９】
【発明が解決しようとする課題】
しかしながら、上記した特許文献１、２に記載の光ディスク装置の構成では、ディスク保持部がトレイの保持面上に出没可能とされているため、ディスク保持部が没入した状態の時、ディスク保持部がトレイの下面から突出される。そのため、トレイ下部の構成部品の配置が制約される。また、ディスク保持部が没入した状態の時に、ディスク保持部がトレイの下面から突出されないよう厚さを厚くしたトレイを用いた場合、光ディスク装置全体の厚さが厚くなる。
【００１０】
また、上記した特許文献２に記載の光ディスク装置の構成では、トレイの移送方向に移動自在なディスク保持部が設けられ、このディスク保持部に設けられている駆動バネにより、カートリッジが挟持されて保持されるものである。しかし、ディスク保持部が移送される方向は、カートリッジに収納されたディスクへの情報の記録再生を行う光ピックアップと配置位置が同じであり、光ピックアップは、ディスク外周部を記録再生する際にディスク保持部の下を通過する。そのため、ディスク保持部をディスク記録面より下部に設けることができず、光ディスク装置全体の厚さが薄くすることができない。
【００１１】
また、上記した特許文献３に記載の光ディスク装置の構成では、ディスク単体の保持方法について開示しているのみであり、カートリッジへの対応についての記載は無く、カートリッジが載置できない。
【００１２】
また、上記した特許文献１、２、３には記載されていないが、ディスクをターンテーブルにチャッキングするためにディスクを挟んでターンテーブルに相対する位置にクランパが配されている。このクランパには、ディスク単体とカートリッジに対応するためにクランパアームが設けられている。カートリッジのローディングの際にはクランパとカートリッジの接触をさけるために、クランパアームによりクランパが待避されている。このクランパアームは、その他端をトレイに設けられた突起により動作されるよう構成されているため、クランパアームの他端が前記ディスク保持部に干渉しないようにその高さが制限されている。そのため、ディスク保持部は、光ピックアップにより下部側を、またクランパアームにより上部側を規制され、その厚さが薄く強度が弱いものとなる。
【００１３】
そこで、上記課題を解決するために本発明は、水平または垂直などトレイの配置方向を任意に設定するとともに、トレイに載置する外部情報記録媒体がディスク単体またはディスクを収納したカートリッジのどちらであってもよい小型の光ディスク装置を提供することを目的とする。
【００１４】
【課題を解決するための手段】
上記目的を達成するため本発明にかかる光ディスク装置は、ディスク単体またはディスクを収納したカートリッジをトレイの載置面に載置した後に前記トレイを本体内にローディングして、ディスク単体またはカートリッジから情報を記録再生する光ディスク装置において、前記トレイに、載置するディスク単体またはカートリッジそれぞれの形状に対応したディスク単体載置空間またはカートリッジ載置空間を形成するとともに、それぞれの前記載置空間でディスク単体またはカートリッジを保持する保持機構が設けられ、前記保持機構は、予め設定した支点を軸にして載置するディスク単体またはカートリッジの面方向に回動自在とされることを特徴とする。
【００１５】
この発明によれば、トレイに保持機構が設けられ、保持機構は、予め設定した支点を軸にして載置するディスク単体またはカートリッジの面方向に回動自在とされるので、保持機構がトレイ上で回動されて、トレイの厚さ方向への保持機構の突出が無く、トレイの薄型化を図ることが可能となる。また、トレイ下部の構成部品の配置に関しても保持機構による制約を受けることが無く、光ディスク装置の薄型化を図ることが可能となる。
【００１６】
上記構成において、上記保持機構には、ディスク単体を上記ディスク単体載置空間の載置面に載置するために、上記トレイ上にディスク単体を載置した時のディスク単体の中心位置をほぼ中心としたディスク半径より大きい半径を有する第１のディスク径方向規制部と、載置するディスク単体のディスク厚み方向への動作を規制する第１のディスク厚み方向規制部と、ディスク単体を載置面に誘導するディスク下ガイド部と、が設けられ、かつ、カートリッジを上記カートリッジ載置空間の載置面に載置するために、カートリッジの上記トレイへの装填方向前端の形状の少なくとも一部と同一形状からなるカートリッジ規制部と、載置したカートリッジのカートリッジ厚み方向への動作を規制し、カートリッジの上記トレイへの装填方向前端の形状の少なくとも一部と同一形状からなる第１のカートリッジ厚み方向規制部とが設けられてもよい。
【００１７】
この場合、保持機構に、第１のディスク径方向規制部と、第１のディスク厚み方向規制部と、ディスク下ガイド部と、カートリッジ規制部と、第１のカートリッジ厚み方向規制部と、が設けられているので、ディスク単体とカートリッジとのどちらともトレイに載置可能となる。また、カートリッジの装填方向前端がカートリッジ厚さ方向に規制されるため、トレイの載置面が垂直方向に沿っていても、カートリッジが落下することなく、トレイに保持することが可能となる。そのため、ディスク単体載置空間またはカートリッジ載置空間の載置面に載置したディスク単体またはカートリッジの全方向への移動を規制することが可能となる。
【００１８】
上記構成において、上記保持機構は、弾性部材によって上記ディスク単体載置空間が形成されるよう付勢されてなってもよい。
【００１９】
この場合、保持機構が、弾性部材によってディスク単体載置空間が形成されるよう付勢されてなるので、トレイへのディスク単体の載置時には、ディスク単体を所定のディスク単体載置面に容易に載置することが可能となるだけでなく、トレイへのカートリッジの載置時に、弾性部材の付勢力により、カートリッジが押されて保持され、カートリッジを所定のカートリッジ載置面に容易に載置することが可能となる。また、トレイの載置面が垂直方向に沿っていても、ディスクまたはカートリッジが落下することなく、ディスク単体またはカートリッジをトレイに載置することが可能となる。
【００２０】
上記構成において、複数の上記保持機構は、連動して回動されてもよい。
【００２１】
この場合、ディスクまたはカートリッジをトレイに載置する際に、複数の保持機構が連動して回動されるので、ディスクまたはカートリッジをトレイの所定の載置面に載置し易くすることが可能となる。
【００２２】
また、上記構成において、上記保持機構には、ディスク単体を上記ディスク単体載置空間の載置面に載置するために、上記トレイ上にディスク単体を載置した時のディスク単体の中心位置をほぼ中心としたディスク半径より大きい半径を有する第２のディスク径方向規制部と、載置するディスク単体のディスク厚み方向への動作を規制する第２のディスク厚み方向規制部と、が設けられ、かつ、カートリッジを上記カートリッジ載置空間の載置面に載置するために、載置したカートリッジのカートリッジ厚み方向への動作を規制するとともに、カートリッジの装填方向後端の形状の少なくとも一部と同一形状からなる第２のカートリッジ厚み方向規制部が設けられてもよい。
【００２３】
この場合、保持機構に、第２のディスク径方向規制部と、第２のディスク厚み方向規制部と、第２のカートリッジ厚み方向規制部が設けられているので、ディスク単体とカートリッジとのどちらともトレイに載置可能となる。また、カートリッジの装填方向後端がカートリッジ厚さ方向に規制されるため、トレイの載置面が垂直方向に沿っていても、カートリッジが落下することなく、トレイに保持することが可能となる。そのため、ディスク単体載置空間またはカートリッジ載置空間の載置面に載置したディスク単体またはカートリッジの全方向への移動を規制することが可能となる。
【００２４】
さらに、上記構成において、上記保持機構は、複数設けられてもよい。
【００２５】
この場合、保持機構が複数設けられているので、より確実にディスクまたはカートリッジを保持することが可能となる。
【００２６】
【発明の実施の形態】
以下、本発明の実施の形態について図面を参照して説明する。
＜実施の形態１＞
この光ディスク装置１には、図１〜３に示すように、ディスク単体２（以下、ディスクという）またはディスク（  本実施の形態１では、便宜上ディスク２と同一のものを用いる）を収納したカートリッジ３（以下、カートリッジという、図７参照）を載置するトレイ４と、このトレイ４の下方に配されるシャーシ５と、トレイ４の上方に配される天板６とが設けられている。
【００２７】
トレイ４は、ローディング機構（図示省略）により、ディスク２またはカートリッジ３を挿脱可能な排出位置（光ディスク装置１の外側、図２参照）と、ディスク２またはカートリッジ３による記録再生可能な装填位置（光ディスク装置１の内側、図３参照）とに移動可能（Ｘ１、Ｘ２方向）とされている。
【００２８】
また、シャーシ５の一端部５ａ（トレイ４の装填方向（Ｘ２方向）前方側）は、図２、３に示すように、板バネ５１を介して装置本体１ａに固定されている。また、シャーシ５の他端部５ｂ（トレイ２の装填方向（Ｘ２方向）後方側）は、昇降機構（図示省略）により上下方向（図２、３に示すＹ１、Ｙ２方向）に移動可能とされている。この昇降機構は、トレイ４の移動に連動している。すなわち、トレイ４が装填位置から排出位置に移動する時、シャーシ５の他端部５ｂは、ディスク２またはカートリッジ３から離れる位置に移動（Ｙ２方向）  し、トレイ４が排出位置から装填位置に移動する時、シャーシ５の他端部５ｂは、ディスク２またはカートリッジ３に近づく位置（  ディスク２をチャッキング可能な位置）に移動（Ｙ１方向）  する。
【００２９】
このシャーシ５には、ディスク２を回転させるためのスピンドルモータ５２と、ディスク２への情報を記録再生するための光ピックアップ５３とが設けられている。
【００３０】
スピンドルモータ５２には、ディスク２を保持して回転させるターンテーブル５４が設けられている。
【００３１】
光ピックアップ５３は、ディスク２の半径方向に移動可能に設けられている。
【００３２】
また、天板６には、支点６１が設けられている。この支点６１には、クランパアーム７が回動自在に保持されている。
【００３３】
クランパアーム７の一端部７ａには、磁性体（図示省略）が内蔵されたクランパ７１が設けられている。このクランパ７１は、スピンドルモータ５２の直上にあたる部分に保持される。クランパアーム７は、板バネ（図示省略）によりクランパ７１がスピンドルモータ５２から離れる方向（Ｙ１方向）に付勢されている。また、クランパアーム７の他端部７ｂには、折り曲げにより当接部７２が形成されている。この当接部７２は、トレイ４が装填位置（図３の位置）に配された時、トレイ４の突起４５（下記参照）に当接され、この当接によりクランパアーム７の一端部７ａが下がり、ディスク２がクランパ７１とターンテーブル５４の間にチャッキングされる。
【００３４】
さらに、この光ディスク装置１には、トレイ４に、図１に示すように、載置するディスク２またはカートリッジ３それぞれの形状に対応したディスク単体載置空間４３またはカートリッジ載置空間４４を形成するとともに、それぞれの載置空間４３、４４でディスク２またはカートリッジ３を保持する２種類の保持機構が設けられている。すなわち、保持機構により、トレイ４には、カートリッジ載置面４１と、このカートリッジ載置面４１に対し装填方向（Ｘ２方向）前方側を上方に傾斜させたディスク単体載置面４２が形成される。また、トレイ４には、ディスク２またはカートリッジ３を装填する際にクランパアーム７と衝突するのを回避させるとともに、ディスク２またはカートリッジ３を装填した際にクランパ７１を接触させるために突起４５が設けられている。
【００３５】
１種類目の保持機構は、トレイ４の装填方向（Ｘ２方向）前方側であってほぼ左右対称に設けられた前端保持部材８ａ、８ｂと、この前端保持部材８ａ、８ｂの移動を制限するストッパ９ａ、９ｂと、前端保持部材８ａ、８ｂを付勢するバネ１０ａ、１０ｂ（本発明でいう弾性部材）とから構成されている。
【００３６】
前端保持部材８ａ、８ｂは、予め設定した支点１１ａ、１１ｂを軸にして載置するディスク２またはカートリッジ３の面方向（図２、３に示すＸ方向）に回動自在とされている。
【００３７】
次に、前端保持部材８ａについて、図４を用いて説明する。なお、前端保持部材８ｂは、前端保持部材８ａと左右対称であるだけで同一の構成からなる。そのため、前端保持部材８ｂの説明は省略する。
【００３８】
前端保持部材８ａは、支点１１ａを軸にしてストッパ９ａ、９ｂの間を回動可能とされ、図１に示すように、バネ１０ａによりストッパ９ａと当接する方向に反時計回りに付勢されている。なお、前端保持部材８ａがストッパ９ａに当接した時のトレイ４の載置面では、ディスク２およびカートリッジ３のうちディスク２のみが載置可能なディスク単体載置空間４３が形成される。
【００３９】
また、この前端保持部材８ａには、図４に示すように、ディスク２をディスク単体載置空間４３に載置するために、トレイ４上にディスク２を載置した時のディスク２の中心位置をほぼ中心としたディスク半径より大きい半径を有する第１のディスク径方向規制部８１ａと、載置するディスク２のディスク厚み方向への動作を規制する薄板状の第１のディスク厚み方向規制部８２ａと、ディスク２をディスク単体載置面４３に誘導するテーパ部８３ａを形成したディスク下ガイド部８４ａと、が設けられている。
【００４０】
図２に示すように、ディスク下ガイド部８４ａにより、ディスク２の装填方向（Ｘ２方向）前端２１（以下、前端という）が持ち上げられ、トレイ４に対し角度を持って載置されてなる。
【００４１】
さらに、この前端保持部材８ａには、図４に示すように、カートリッジ３をカートリッジ載置空間４４に載置するために、カートリッジ３のトレイ４への前端３１の形状の少なくとも一部と同一形状からなるカートリッジ規制部８５ａと、載置したカートリッジ３のカートリッジ厚み方向への動作を規制し、カートリッジ３のトレイ４への前端３１の形状の少なくとも一部と同一形状からなる第１のカートリッジ厚み方向規制部８６ａとが設けられている。カートリッジ３を装填した時、カートリッジ規制部８５ａにより、前端保持部材８ａは、一定の角度だけ時計回りに回動される。
【００４２】
また、第１のカートリッジ厚み方向規制部８６ａは、カートリッジ規制部８５ａの上方からカートリッジ３の面方向（Ｘ方向）に突起されている。
【００４３】
次に、２種類目の保持機構は、図１に示すように、トレイ４の装填方向（Ｘ２方向）後方側であってほぼ左右対称に設けられた後端保持部材１２ａ、１２ｂと、この後端保持部材１２ａ、１２ｂと係合した板バネ１３ａ、１３ｂから構成されている。
【００４４】
後端保持部材１２ａ、１２ｂは、図１に示すように、板バネ１３ａ、１３ｂを介して予め設定した支点１４ａ、１４ｂを軸にして載置するディスク２またはカートリッジ３の面方向（Ｘ方向）に回動自在とされている。すなわち、後端保持部材１２ａ、１２ｂは、その先端１２１ａ、１２１ｂをトレイ４の中心部に向けたディスクガイド位置Ｐ１（図６参照）と、その先端１２１ａ、１２１ｂをトレイ４の中心部から離れる方向に向けたカートリッジガイド位置Ｐ２（図７参照）との間で回動自在とされている。なお、後端保持部材１２ａ、１２ｂをディスクガイド位置Ｐ１に配することでディスク単体載置空間４３が形成され、カートリッジガイド位置Ｐ２に配することでカートリッジ載置空間４４が形成される。
【００４５】
次に、後端保持部材１２ａについて、図５を用いて説明する。なお、後端保持部材１２ｂは、後端保持部材１２ａと左右対称であるだけで同一の構成からなる。そのため、後端保持部材１２ｂの説明は省略する。
【００４６】
この後端保持部材１２ａには、図５に示すように、後端保持部材１２ａがディスクガイド位置Ｐ１にある時、ディスク２をディスク単体載置空間４３に載置するために、トレイ４上にディスク２を載置した時のディスク２の中心位置をほぼ中心としたディスク半径より大きい半径を有する第２のディスク径方向規制部１２２ａと、載置するディスク２のディスク厚み方向への動作を規制する薄板状の第２のディスク厚み方向規制部１２３ａと、が設けられている。
【００４７】
また、後端保持部材１２ａには、図５に示すように、後端保持部材１２ａがカートリッジガイド位置Ｐ２にある時、カートリッジ３をカートリッジ載置空間４４に載置するために、載置したカートリッジ３のカートリッジ厚み方向への動作を規制するとともに、カートリッジ３の装填方向（Ｘ２方向）後端（以下、後端という）の形状の少なくとも一部と同一形状からなる第２のカートリッジ厚み方向規制部１２４ａが設けられている。
【００４８】
次に、上記したディスク２およびカートリッジ３のトレイ４への載置動作を、図１〜７を用いて、以下に説明する。
【００４９】
まず、トレイ４の載置面を水平に配した時のディスク２の載置動作を説明する。なお、前端保持部材８ａ、８ｂはストッパ９ａ、９ｂと当接され、載置面ではディスク単体載置空間４３が形成されている（図１参照）。
【００５０】
図１、２に示すように、ディスク単体載置空間４３が形成されたトレイ４に、ディスク２をディスク単体載置面４２に載置する。このディスク単体載置面４２へのディスク２の載置では、ディスク２の前端２１がディスク下ガイド部８４ａ、８４ｂのテーパ部８３ａ、８３ｂに沿って誘導規制されている。
【００５１】
そして、ディスク単体載置面４２に載置されたディスク２の外周縁２２は、前端保持部材８ａ、８ｂの第１のディスク径方向規制部８１ａ、８１ｂによって規制されるとともに、その表面２３が前端保持部材８ａ、８ｂの第１のディスク厚み方向規制部８２ａ、８２ｂによって規制され、その裏面２４がディスク下ガイド部８４ａ、８４ｂに規制されて（図２参照）、ディスク２がディスク単体載置面４３に載置される。
【００５２】
次に、トレイ４の載置面を垂直方向に沿って配した時のディスク２の載置動作を説明する。
【００５３】
図６に示すように、後端保持部材１２ａ、１２ｂが、ディスク単体載置空間４３が形成されるよう、すなわちディスクガイド位置Ｐ１まで回動される。そして、ディスク２の外周縁２２が、前端保持部材８ａ、８ｂの第１のディスク径方向規制部８１ａ、８１ｂと後端保持部材１２ａ、１２ｂの第２のディスク径方向規制部１２２ａ、１２２ｂとによって規制されるとともに、その表面２３が前端保持部材８ａ、８ｂの第１のディスク厚み方向規制部８２ａ、８２ｂと後端保持部材１２ａ、１２ｂの第２のディスク厚み方向規制部１２３ａ、１２３ｂとによって規制され、その裏面がディスク下ガイド部８４ａ、８４ｂに規制されて、ディスク２がディスク単体載置面４２に載置される。
【００５４】
次に、カートリッジ３の載置動作を説明する。
【００５５】
後端保持部材１２ａ、１２ｂは、図７に示すように、カートリッジガイド位置Ｐ２に配されている。カートリッジ３の装填に際して、カートリッジ３の前端３１がカートリッジ規制部８５ａ、８５ｂに当接される。そして、その状態で前端保持部材８ａ、８ｂがバネ１０ａ、１０ｂに抗して押圧され、前端保持部材８ａが時計回り、前端保持部材８ｂが反時計回りに回動される。
【００５６】
そして、カートリッジ３が装填方向（Ｘ２方向）へ移動することにより、カートリッジ３の後端３２が、後端保持部材１２ａ、１２ｂの第２のカートリッジ厚み方向規制部１２４ａ、１２４ｂ上を越えた位置で、カートリッジ３をトレイ４のカートリッジ載置面４１に降ろす。カートリッジ３をカートリッジ載置面４１に降ろした後、バネ１０ａ、１０ｂにより前端保持部材８ａが反時計方向、前端保持部材８ｂが時計方向に付勢され、この付勢にともなって前端保持部材８ａ、８ｂと当接したカートリッジ３が装填方向（Ｘ２方向）と逆の方向（Ｘ１方向）に押圧され、カートリッジ３が後端保持部材１２ａ、１２ｂに保持される。そのため、カートリッジ３は、前端保持部材８ａ、８ｂの第１のカートリッジ厚み方向規制部８６ａ、８６ｂおよび後端保持部材１２ａ、１２ｂの第２のカートリッジ厚み方向規制部１２４ａ、１２４ｂによって、トレイ４の載置面が垂直方向に沿っていても落下することは無い。
【００５７】
上記したようにトレイ４にディスク２またはカートリッジ３が載置された後、光ディスク装置１においてトレイ４の装填信号を検知すると、ローディング機構により、トレイ４が光ディスク装置１内に引き込まれる。トレイ４が装填位置までローディングされると、トレイ４上に設けられた突起４５がクランパアーム７の当接部７２と当接され、クランパアーム７の板バネに抗してクランパアーム７が回動され、クランパ７１が下降する。それとともに、シャーシ５が上昇し、スピンドルモータ５２のターンテーブル５４とクランパ７１の間にディスク２がチャッキングされる。そして、光ピックアップ５３がディスク２の半径方向に移動することによりディスク２から光ディスク装置１への情報の記録再生が行われる。
【００５８】
このように、この実施の形態１にかかる光ディスク装置１によれば、トレイ４に保持機構が設けられ、保持機構は、予め設定した支点を軸にして載置するディスク２またはカートリッジ３の面方向に回動自在とされるので、保持機構がトレイ４上で回動されて、トレイ４の厚さ方向への保持機構の突出が無く、トレイ４の薄型化を図ることができる。また、トレイ４下部の構成部品の配置に関しても保持機構による制約を受けることが無く、光ディスク装置１の薄型化を図ることができる。
【００５９】
また、前端保持部材８ａ、８ｂに、第１のディスク径方向規制部８１ａ、８１ｂと、第１のディスク厚み方向規制部８２ａ、８２ｂと、ディスク下ガイド部８４ａ、８４ｂと、カートリッジ規制部８５ａ、８５ｂと、第１のカートリッジ厚み方向規制部８６ａ、８６ｂと、が設けられているので、ディスク２とカートリッジ３とのどちらともトレイ４に載置可能となる。また、カートリッジ３の前端３１がカートリッジ厚さ方向に規制されるため、トレイ４の載置面が垂直方向に沿っていても、カートリッジ３が落下することなく、トレイ４に保持することができる。そのため、ディスク単体載置空間４３またはカートリッジ載置空間４４に載置したディスク２またはカートリッジ３の全方向への移動を規制することができる。
【００６０】
また、前端保持部材８ａ、８ｂが、バネ１０ａ、１０ｂによってディスク単体載置空間４３が形成されるよう付勢されているので、トレイ４へのディスク２の載置時には、ディスク２を所定のディスク単体載置面４２に容易に載置することができるだけでなく、トレイ４へのカートリッジ３の載置時に、バネ１０ａ、１０ｂの付勢力により、カートリッジ３が押されて保持され、カートリッジ３を所定のカートリッジ載置面４４に容易に載置することができる。また、トレイ４の載置面が垂直方向に沿っていても、ディスク２またはカートリッジ３が落下することなく、トレイ４に載置することができる。
【００６１】
また、後端保持部材１２ａ、１２ｂに、第２のディスク径方向規制部１２２ａ、１２２ｂと、第２のディスク厚み方向規制部１２３ａ、１２３ｂと、第２のカートリッジ厚み方向規制部１２４ａ、１２４ｂが設けられているので、ディスク２とカートリッジ３とのどちらともトレイ４に載置可能となる。また、カートリッジ３の後端３２がカートリッジ厚さ方向に規制されるため、トレイ４の載置面が垂直方向に沿っていても、カートリッジ３が落下することなく、トレイ４に保持することができる。そのため、ディスク単体載置空間４３またはカートリッジ載置空間４４に載置したディスク２またはカートリッジ３の全方向への移動を規制することができる。
【００６２】
また、保持機構が複数、本実施の形態１では２種類からなる４つ設けられているので、１種類１つからなる保持機構と比較してより確実にディスク２またはカートリッジ３を保持することができる。なお、ここでいう保持機構の個数および種類は、これに限定されるものではなく、任意に設定してもよい。
【００６３】
なお、本実施の形態１では、前端保持部材８ａ、８ｂと後端保持部材１２ａ、１２ｂとが独立して構成されているが、これに限定されるものではなく、前端保持部材８ａ、８ｂと後端保持部材１２ａ、１２ｂとが連動するよう構成されてもよく、それぞれ独立して構成された場合と比較してディスク２またはカートリッジ３を保持するのに好ましい。
【００６４】
また、本実施の形態１では、ディスク単体２と、カートリッジに収納したディスク２とを同一のものとして用いているが、これに限定されるものではない。
＜実施の形態２＞
この実施の形態２にかかる光ディスク装置は、上記した実施の形態１にかかる光ディスク装置１と、前端保持部材の点で異なるだけで、他の構成は同一である。そのため、この実施の形態２では、この異なる前端保持部材の点についてのみ説明し、他の同一構成については、その説明を省略する。
【００６５】
この実施の形態２にかかる光ディスク装置１では、図８に示すように、前端保持部材８ｃ、８ｄに、それぞれその一部に回動中心位置と同芯のギア部８１ｃ、８１ｄが設けられ、これらギア部８１ｃ、８１ｄは、それぞれギア１４１、１４２と噛合うよう構成されている。
【００６６】
これらギア１４１とギア１４２の間には、図８に示すように、タイミングベルト１５とギア１４３とが設けられ、これらギア１４１、１４２、１４３およびタイミングベルト１５により、一方の前端保持部材８ｃまたは８ｄが回動され、それに同期して他方の前端保持部材８ｄまたは８ｃが回動されるように構成されている。すなわち、前端保持部材８ｃ、８ｄは、連動して回動される。
【００６７】
上記したように、本実施の形態２にかかる光ディスク装置１によれば、上記した実施の形態１にかかる光ディスク装置１における作用効果を有するだけでなく、前端保持部材８ｃ、８ｄが連動して回動されるので、ディスク２またはカートリッジ３をトレイ４の所定の載置面４３、４４に載置し易くすることができる。
【００６８】
【発明の効果】
以上、説明したように、本発明によれば、水平または垂直などトレイの配置方向を任意に設定するとともに、トレイに載置する外部情報記録媒体がディスク単体またはディスクを収納したカートリッジのどちらであってもよい小型の光ディスク装置を提供することができる。
【００６９】
すなわち、本発明にかかる光ディスク装置によれば、トレイに保持機構が設けられ、保持機構は、予め設定した支点を軸にして載置するディスク単体またはカートリッジの面方向に回動自在とされるので、保持機構がトレイ上で回動されて、トレイの厚さ方向への保持機構の突出が無く、トレイの薄型化を図ることができる。また、トレイ下部の構成部品の配置に関しても保持機構による制約を受けることが無く、光ディスク装置の薄型化を図ることができる。
【図面の簡単な説明】
【図１】本発明の実施の形態１にかかる光ディスク装置のトレイを示す平面図である。
【図２】本発明の実施の形態１にかかる光ディスク装置の、トレイの一部が光ディスク装置から突出した状態の内部構成を示す側面図である。
【図３】本発明の実施の形態１にかかる光ディスク装置の、トレイにディスクを載置しローディング時における内部構成を示す側面図である。
【図４】本発明の実施の形態１にかかる光ディスク装置に設けられた一方の前端保持部材の斜視図である。
【図５】本発明の実施の形態１にかかる光ディスク装置に設けられた一方の後端保持部材の斜視図である。
【図６】本発明の実施の形態１にかかる光ディスク装置のトレイにディスクを載置した状態を示す平面図である。
【図７】本発明の実施の形態１にかかる光ディスク装置のトレイにカートリッジを載置した状態を示す平面図である。
【図８】本発明の実施の形態２にかかる光ディスク装置に設けられた前端保持部材を示す平面図である。
【符号の説明】
１    光ディスク装置
１ａ    本体（本体筐体）
２    ディスク単体（ディスク）
３    カートリッジ
３１    カートリッジの前端
４    トレイ
４１  カートリッジ載置面
４２  ディスク単体載置面
４３    ディスク単体載置空間
４４    カートリッジ載置空間
８１ａ、８１ｂ    第１のディスク径方向規制部
８２ａ、８２ｂ    第１のディスク厚み方向規制部
８４ａ、８４ｂ    ディスク下ガイド部
８５ａ、８６ａ    カートリッジ規制部
８６ａ、８６ｂ    第１のカートリッジ厚み方向規制部
１０ａ、１０ｂ    弾性部材（バネ）
１１ａ、１１ｂ、１４ａ、１４ｂ    支点
１２２ａ、１２２ｂ    第２のディスク径方向規制部
１２３ａ、１２３ｂ    第２のディスク厚み方向規制部
１２４ａ、１２４ｂ    第２のカートリッジ厚み方向規制部
【図１】
2005018853.tif 000003
【図２】
2005018853.tif 000004
【図３】
2005018853.tif 000005
【図４】
2005018853.tif 000006
【図５】
2005018853.tif 000007
【図６】
2005018853.tif 000008
【図７】
2005018853.tif 000009
【図８】
2005018853.tif 000010